(57)【特許請求の範囲】
【請求項１】
切離し可能に連接された複数の表示部を有する表示層と、前記表示層の裏面に塗工された感圧性接着剤層と、前記接着剤層に剥離可能に組合される剥離処理面を有する剥離紙とを備え、前記表示部間の連接部に切取線６を貫設し、この境界線に沿って剥離紙を分離する切込線８を形成した粘着シートにおいて、前記剥離紙を前記表示層１の切離される側の表示部の裏面に対応する領域から除去し、この領域に露出する感圧性接着剤層に対して除去後に残存する剥離紙と面一になるようにシート材を固着させたことを特徴とする分離可能な表示部を有する粘着シート。
【請求項２】
前記シート材として前記除去された剥離紙を表裏反転して用い、その非剥離処理面で接着剤層に固着させた請求項１記載の分離可能な表示部を有する粘着シート。
【請求項３】
前記シート材として前記剥離紙と同厚の紙又はフィルム材を用いた請求項１記載の分離可能な表示部を有する粘着シート。
【請求項４】
切離される側の表示部が前記切取線を介して一つまたはそれ以上互いに切離し可能に設けられた請求項1、２又は３記載の分離可能な表示部を有する粘着シート。
【請求項５】
前記剥離紙を除去する際に前記切離される側の表示部の前記切取線に対向する側の端縁を残して除去し、この端縁を貼着部とするようにした請求項1、２又は３記載の分離可能な表示部を有する粘着シート。
【請求項６】
前記切離される側の表示部が前記貼着部を介して一つ又はそれ以上互いに切離し可能に設けられた請求項５記載の分離可能な表示部を有する粘着シート。
【発明の詳細な説明】
【０００１】
【発明の属する技術分野】
本発明は分離可能な表示部を有する粘着シートに関し、特に切離し可能に互いに連接された表示部を有する表示層と、前記表示層の裏面に感圧性接着剤層を介して組合される剥離処理面を有する剥離紙とを備えた粘着シートに関する。
【０００２】
【従来の技術】
粘着シート製品、たとえば商品の配送用伝票として、依頼側の発注票、受注側の管理票、商品への貼付票および配送先の受領票等の複数の表示票を一括して組合せ、これらに対して必要な事項の情報を共通に印字して複写する形式のものが従来から用いられている。この場合複数枚の表示票に重ねて印字されるために、手書きで複写する場合は別としてドットインパクトプリンタ等を用いる必要がある。またたとえば表示票の一部を配送過程で分離して保管する必要がある場合等ではこれらを相互に分離可能に組合せておくために擬似接着層を設けたものなども知られているが、粘着シートの層構成が複雑化してラベルのコストが増大する。
【０００３】
近年のＯＡ機器や通信手段の発達により、従来の発注側や受注側の控えとなる表示内容はコンピュータにデータとして記憶させておくことができるので、配送票としてはこれらについての各表示票は必ずしも商品に直接貼着して用いられる貼付票や配送先での受領確認用の受領票等のみでも充分である。このような場合、貼付票と受領票とを切離し可能な一連の形態として商品に貼着し受領票のみを切り離すように構成することによって配送票としての目的を達成することができる。
【０００４】
このような配送票ないしは表示票としては、貼付票を被着体としての商品に対して固着し、一方受領票はここから剥離可能となるように構成される。この場合貼付票の裏面を接着性受、領票の裏面側を非接着とするように表示層裏面の粘着剤層をいわゆる糊抜きのパターン等で形成すると、このようなパターンの粘着シートを個々の場合の配送票の仕様に合せてその都度形成することになるので製作コストが増大する。また、貼付票に対して単に受領票をミシン目等で連結した構成では配送中にこの部分が脱落するおそれがある。
【０００５】
【課題を解決するための手段】
前記従来技術の課題は、切離し可能に連接された複数の表示部を有する表示層と、前記表示層の裏面に塗工された感圧性接着剤層と、前記接着剤層に剥離可能に組合される剥離処理面を有する剥離紙とを備え、前記表示部間の連接部に切取線６を貫設し、この境界線に沿って剥離紙を分離する切込線８を形成した粘着シートにおいて、前記剥離紙を前記表示層１切離される側の表示部の裏面に対応する領域から除去し、この領域に露出する感圧性接着剤層に対して除去後に残存する剥離紙と面一になるようにシート材を固着させたことを特徴とする分離可能な表示部を有する粘着シート請求項１記載の粘着シートによって解決される。
【０００６】
【発明の実施の態様】
前記切離し可能な表示部を有する粘着シートは、表面基材とその裏面に感圧性接着剤層を介して組合される剥離紙からなる通常の一般的な粘着シートを利用して容易に製造される。既存の粘着シートは図１（ａ）および（ｂ）に示すように表示層１とその裏面に塗工した感圧性接着剤層２を介して組合された剥離紙３とからなり、剥離紙３はその表面の剥離処理面３Ａによって表示層１の裏面の接着剤層２に剥離可能に組合されている。
【０００７】
このような粘着シートから本発明の分離可能な表示部を有する粘着シートを製造する際の基本的な手順を図２（ａ）および２（ｂ）に示す請求項２に対応する態様に基いて説明する。まず表示層１を第１表示部４と第２表示部５とに区分する切取線６、この境界に沿って表示層１と裏面の剥離紙３を分離する切込線８を形成する。次いで剥離紙３の第２表示部５の裏面に対応する領域を切込線８に沿って第２表示部５から切離して分離し、これを図２（ａ）の裏面図および（ｂ）の断面図に示すように表裏を反転させた後、再度分離した箇所に戻し感圧性接着剤層２に結合させる。すなわち剥離紙３の第１表示部４に対応する領域は切取線６の右側の領域において感圧性接着剤層２に対して通常の粘着シートの場合のように剥離可能に結合されている。一方剥離紙３の第２表示部５に対応する領域は前記反転によってその非剥離処理面側３Ｂで感圧性接着剤層２に対して剥離不能に固着され、一方その領域の下面は剥離処理面３Ａとなっている。
【０００８】
かゝる分離可能な表示部を有する粘着シートを被着体に接着する際には、まず剥離紙３の第１表示部４に対応する部分を表示層１から剥離させる。この場合の剥離は通常のセパレータと同様にして感圧性接着剤層２と剥離処理面３Ａとの間で容易に行われ、この部分に感圧性接着剤層２が露出する。一方第２表示部５に対応する部分は非剥離処理面３Ｂによって第２表示部５の下方の感圧性接着剤層２に固着されている（図２（ａ）、（ｂ））。この状態の粘着シートを被着体(図示せず)に接着させると、裏面に感圧性接着剤層２が露出した第１表示部４の部分は被着体に固着され、一方第２表示部５側の裏面は剥離処理面３Ａとなっていて全く接着性を示さない。したがってこの部分は必要に応じて切取線６に沿って第１表示部４から切離すことによって被着体（商品）の表面から極めて容易に分離される。
【０００９】
前記のように、本発明の切り離し可能な表示部を有する粘着シートは、既存の粘着シートを利用して容易に加工することができる。たとえば、市販の粘着シート原反に所定の配送票のデザインにしたがって第１表示部４および第２表示部５を区画形成し、それらの間の位置に切取線６を形成し、剥離紙３の第２表示部５に対応する部分を切込線８に沿って切離して剥離し、その表裏を反転させて再度第２表示部５の部分に戻すだけで容易につくることができ、配送票の仕様に応じて夫々の場合特定のパターンに糊抜きした粘着シートを製造する手間を要しない。
【００１０】
このようにして得られた本発明の粘着シートの表示層１の裏面には両表示部４、５共通に同一の剥離紙が結合されているのでシート全体の厚さは均一であり印刷を施す際、段差によって境界部に印字切れを生じる事がない。  また商品に貼着して用いる場合、切り離される表示部の裏面は接着性がないので控え伝票として他の部分から切り離す際の商品面から容易に分離される。
【００１１】
前記説明に用いた実施態様では、切離される側の表示部５の裏面にいわゆる糊抜きパターンと同等な機能をもたせるためにこの領域の剥離紙３を一旦除去し、これを表裏反転させて、剥離処理面３Ａが下面となるようにしてあり、この態様では原反として用いる粘着シートの剥離紙が無駄なく用いられかつ加工も容易である。但しこの場合には表示層１の裏面に剥離紙３の剥離処理面３Ａと非処理面３Ｂとが存在するので、加熱を伴なう印刷時には両者の材質の違いにより伸縮の差でシートにカールを生じるおそれがある。
【００１２】
本発明の請求項3記載の態様の粘着シートにおいては、表示層１の切離される側の表示部５に対応する領域の剥離紙３を裏面反転して用いる代わりに、剥離処理面３Ａを有しない任意の通常のシート材を用いてもよい。この粘着シートの基本的な作用効果は前記粘着シートと同一であり、シート材を別途に用いることにはなるが、たとえば剥離紙と同質の材料で剥離処理を施さない紙（シート）を用いることにより粘着シートの裏面を連続した同一の材質で面一に構成することができ、表示印刷の際の加熱時等に生じる伸縮の差（シリコン処理面と非処理面との間）によるカールが防止される。
【００１３】
以上本発明の切り離し可能な表示部を有する粘着シートの基本的な構成について説明したが、これを例えば商品に貼付して用いる貼付票と受領票との組合せに適用する場合には、たとえば請求項４に記載した図３（ａ）（ｂ）のような具体的な構成とすることが好ましい。  請求項４記載の様態の骨子は切離される側の第２表示部５に対応する剥離紙３を切り取り線６に対向する側の端縁部９にも一部残した状態で除去し、これを表裏反転してもとの領域すなわち、第１表示部４と端縁部９との間に戻すようにすることである。  このような構成では表示シートを商品に貼着する際、第2表示部５の端縁９には通常の粘着シートと同様の粘着剤層／剥離紙の層構成部分９が残っているので、この部分の剥離紙３を剥して端部に露出した粘着剥離層２の貼着部で表示シートの表示部５が被着体に仮止めされ、取扱い中に脱落を生じない。商品受領時には前記切取線６と端縁の近傍に貫設された切取線７との間で第２表示部５を切離すことができる。
【００１４】
実施例
図３はＡ４サイズの粘着シートの原反から同一仕様の３組の分離可能な表示部を有する粘着シートをつくる具体例を示す。その構成は基本的には図１に対応し、相当する部分は図１の各部と同一の符号で示してある。これら図中、分離可能な表示部を有する粘着シートは、図３（ａ）に示すように互いに切離し可能に連接させた商品への貼付票（第１表示部）４および配送先で確認印等を付してここから切取られる受領票（第２表示部）５からなり、それらの表面には共通に住所、氏名、コード番号等の記載欄が設けられ使用に際して個々に各々の情報が印字される。
【００１５】
表示層１の裏面には図３（ｂ）に示すように感圧性接着剤層２を介して剥離紙３が貼着されており、図中６は表示部４、５間の切取線を示す。この実施例においても貼付票４に対応する領域の剥離紙３を剥離することでその領域の感圧性接着剤層２が露出して商品表面に固着され、一方受領票５の裏面には剥離紙３が剥離処理面３Ａを下側にして固着されて残っているので、この部分は実質的に商品の表面から浮いた状態になる。
【００１６】
ここで常時はこの受領票5の部分を被着体に一応貼着された状態としておくことが望ましいので、受領票５の端縁（左縁）９に対応する領域の剥離紙３の部分に切込線８を形成し、受領票５を切取る際に端縁９に貼着部となる部分を残して切り取るようにする。
【００１７】
すなわち図１（ｂ）に示す場合と同様に、粘着シートから受領票５に対応する剥離紙３の部分を図３（ｂ）における切込線８、８に沿って一旦感圧性接着剤層２から剥離し、表裏を反転させて改めて分離した部分に戻して非剥離処理面３Ｂによって感圧性接着剤層２に強固に接着させる。この場合受領票５の端部９に切取線８よりやゝ内側の部分に切取線７が形成される。
【００１８】
この粘着シートを使用する際には、シート裏面の剥離紙３を図３（ｂ）中右側の貼付票および受領票５の端縁９において感圧性接着剤層２から剥離させ夫々の部分で商品の表面に固着させる。ここで貼付票４の部分は露出した感圧性接着剤層２により全体的に完全に固着される。受領票５の下面の大部分は剥離処理面３Ａとなっているので、大部分が商品の表面から浮いた状態となっているが、左端縁９の部分感圧性接着剤層２により止められており全体としては商品に貼着された状態となる。
【００１９】
この状態から受領票５の部分を分離する際には、これを切取線６および７に沿って切り離す。前記のようにこれらの切取線の内側では受領票５は商品表面に全く接着していないのでこれを貼付票４から簡単に切り離すことができる。
【００２０】
前記具体例では本発明を貼付票と受領票を切離し可能に有する配送伝票について説明したが、本発明は切離し可能な表示部を有する任意の粘着面付の帳票類やその他のシート状製品に適用することができる。また前記切離なされる側の第２表示部は具体例の場合に限らず、二つ以上任意の数の表示部を設けてもよく、これらは前記切取線を介してまたは夫々の端縁に形成した貼着部を介して互いに切離し可能に設けてもよい。
【００２１】
さらに本発明は請求項１の前記構成に基くその他の物品にも適用することができる。たとえば図１に示す粘着シートから剥離紙３を除いたものをその感圧性接着剤層2で図2に示す層構成の粘着シートの裏面（下面）に組合せて適宜な分離用の切取線を設けることにより、一枚の剥離紙を介して両側に表示層を有する両面印刷用の分離可能な表示部を有する粘着シートとすることができる。
【００２２】
【発明の効果】
以上のように本発明の分離可能な表示部を有する粘着シートは、例えば通常の市販されている粘着シートの原反を材料として用い、個々の表示票の仕様に応じて各外形線、分離線、境界線を所要のデザインにしたがって形成し、切り離される側の表示票に対応する下面の剥離紙を感圧性接着剤層から剥離しこれを反転してもとの位置に接着させるだけで何等特別な層構成を付与することもなく簡単に製造することができる。
【００２３】
またこの状態では層全体の厚みが均一になるので、配送票の作成後に表面全体に印刷を施す場合にも、たとえば段差による印字切れなどを生じる恐れがない。またこの分離可能な表示部を有する粘着シートは各伝票を平面的に連接させた構成であるため、印字にはコンピュータ端末等に通常用いられるノンイパクト型のプリンタをそのまま用いることができる。
【００２４】
更に受領票を分離する際その裏面には全く粘着性がないので、再剥離性接着層または擬似接着層を剥がす場合のように剥離の際にカールを生じることがなく受領票の保管が容易になる。
【００２５】
特に切離される側の第二表示部に対応する剥離紙を端縁に接着域に対応する部分を残すようなパターンで反転して用いることにより、使用時にこの端縁が前記表示部を被着体に確実に仮止めされこの表示部が脱落するおそれがない。
【００２６】
また前記部分で剥離紙を表裏反転させて固着する代わりにこの部分に剥離処理面のない通常の紙シートを用いることにより裏面の材質が両表示部間で同一になり表示印刷時の加熱でカールを生じるおそれがない。
【図面の簡単な説明】
【図１】（ａ）は通常の粘着シートの概要を示す上面図であり、（ｂ）は前記粘着シートの概要を示す断面図である。
【図２】（ａ）は本発明の分離可能な表示部を有する粘着シートの概要を示す裏面図であり、（ｂ）はその断面図である。
【図３】（ａ）は本発明の分離可能な表示部を有する粘着シートの具体例を示す上面図であり、（ｂ）は前記粘着シートの要部の断面図である。
【符号の説明】
１    表示層
２    感圧性接着剤層
３    剥離紙
３Ａ  剥離処理面
３Ｂ  非剥離処理面
４    第１表示部（貼付票）
５    第２表示部（受領票）
６    切取線
７    端縁側の切取線
８    剥離紙分離用の切込線
９    縁部
【図１】
0004695764.tif 000002
【図２】
0004695764.tif 000003
【図３】
0004695764.tif 000004